(57)【特許請求の範囲】
【請求項１】
印刷面を上にして排紙を行なうフェイスアップ排紙口と、前記フェイスアップ排紙口から排出された用紙を積載するフェイスアップ排紙台と、
印刷面を下にして排紙を行なうフェイスダウン排紙口と、前記フェイスダウン排紙口から排出された用紙を積載するフェイスダウン排紙台とを備えた印刷装置であって、
印刷用紙を循環させる循環搬送経路と、
用紙の搬送先を前記フェイスアップ排紙口、前記フェイスダウン排紙口および前記循環搬送経路のいずれかに切り替える切替手段と、
前記フェイスアップ排紙台に積載された用紙が所定の量に達したことを検出するフェイスアップ排紙量検出手段と、
前記フェイスダウン排紙台に積載された用紙が所定の量に達したことを検出するフェイスダウン排紙量検出手段と、
排紙口の指定を含む印刷データに基づく印刷処理を制御する印刷制御手段と、
印刷データを格納する印刷データ格納手段とを備え、
前記印刷制御手段は、
指定された排紙口に排紙を行なう印刷を開始後に、前記指定された排紙口に対応する排紙台に積載された用紙が所定の量に達したことが検出されると、前記指定された排紙口からの排紙を停止し、未印刷のページについて印刷開始時とは逆順に印刷するとともに、未排紙の用紙について印刷開始時とは逆順に、前記指定された排紙口とは別の排紙口から排紙するように前記切替手段を制御し、
前記指定された排紙口からの排紙を停止した際に印刷済未排紙の用紙について、未印刷のページが印刷されて排紙されるまで前記循環搬送路が搬送先になるように前記切替手段を制御し、未印刷のページの排紙後は、前記印刷済未排紙の用紙が搬送順とは逆順に排紙されるように前記切替手段を制御することを特徴とする印刷装置。
【請求項２】
請求項１に記載の印刷装置であって、
前記循環搬送経路は、用紙の表裏を反転させる反転機構を含んでおり、
前記印刷制御手段は、さらに、前記指定された排紙口とは別の排紙口がフェイスアップ排紙口の場合はフェイスアップで用紙が排紙され、前記指定された排紙口とは別の排紙口がフェイスダウン排紙口の場合はフェイスダウンで用紙が排紙されるように前記切替手段を制御することを特徴とする印刷装置。
【請求項３】
請求項１または２に記載の印刷装置であって、
表示手段をさらに備え、
前記印刷制御手段は、前記指定された排紙口と別の排紙口から排紙させた印刷の終了後に、前記指定された排紙口に対応する排紙台に積載された用紙と、前記指定された排紙口に対応する排紙台とは別の排紙台に積載された用紙とを重ねる処理についてのガイドを前記表示手段に表示させることを特徴とする印刷装置。
【請求項４】
請求項３に記載の印刷装置であって、
前記ガイドは、フェイスダウン排紙台の印刷物をひっくり返して印刷面を上にし、フェイスアップ排紙台の印刷物に重ねる旨の内容であることを特徴とする印刷装置。
【発明の詳細な説明】
【技術分野】
【０００１】
本発明は、フェイスアップ排紙口およびフェイスダウン排紙口を備えた印刷装置に関する。
【背景技術】
【０００２】
一般に印刷装置は、給紙機構から給紙した印刷用紙に対して印刷を施して排紙口から排紙する。排紙口には、印刷用紙の印刷面が上向きに排出されるフェイスアップ排紙口と、印刷用紙の印刷面が下向きに排出されるフェイスダウン排紙口とがある。印刷装置によってはフェイスアップ排紙口とフェイスダウン排紙口の両方を備えたものがあり、このような印刷装置では任意の排紙口から排紙させることができる。
【０００３】
複数ページの印刷を行なう場合、フェイスアップ排紙口では、印刷面が上向きの状態で排紙台に次々に印刷済の用紙が積み重ねられる。このため、ページ順の印刷結果を得るためにはページの逆順に印刷を行なう必要がある。一方、フェイスダウン排紙口では、印刷面が下向きの状態で排紙台に次々に印刷済の用紙が積み重ねられる。このため、ページ順の印刷結果を得るためにはページ順に印刷を行なう必要がある。このように、排紙口に応じてページの印刷順序を変更する必要があり、印刷装置に接続されたホストコンピュータは、排紙口に応じたページ順で印刷データを印刷装置に送信する。
【０００４】
ところで、フェイスアップ排紙口の排紙台、フェイスダウン排紙口の排紙台とも、その構造上、印刷用紙の最大積載量が定められており、最大積載量を超えて排紙を行なうと不具合が生じるおそれがある。この不具合を防ぐために、印刷途中で一方の排紙台の最大積載量を超えると、排紙口を切り替えて他方の排紙台に印刷済の用紙を積載させる技術が知られている。
【０００５】
しかしながら、排紙口を切り替えると印刷用紙の上下面が切り替え前と逆になるため、印刷終了後にユーザが切り替え後の印刷物のページを逆順に並び替えなければならないという問題があった。この問題を解決するため、特許文献１には、一方の排紙台の最大積載量を超えると、排紙口を他方に切り替えるとともに、ページの印刷順を反転させることで、印刷後のページ並べ替え作業を不要とする技術が記載されている。
【特許文献１】特開平１１−１５７７４６号公報
【発明の開示】
【発明が解決しようとする課題】
【０００６】
ところで、印刷処理の生産性を高めるために、連続的に給紙と印刷を行ない、筐体内の搬送経路で同時に複数枚の印刷用紙を搬送する印刷装置が知られている。このような印刷装置で、一方の排紙台に積載された印刷用紙がその排紙台の最大積載量を超えた場合に特許文献１に記載された技術をそのまま適用することはできない。
【０００７】
なぜならば、排紙口が切り替えられた時点でまだ排紙されていない印刷済の用紙は、切り替え後の排紙口から、切り替え前の排紙口に対応したページ順で出力されてしまうからである。このため、印刷終了後に、そのページを抜き出して並べ替え作業が必要となる。
【０００８】
本発明はこのような状況を鑑みてなされたものであり、同時に複数枚の印刷用紙を搬送する印刷装置において、フェイスダウン排紙口とフェイスアップ排紙口とを印刷途中で切り替えた場合であっても、印刷後のページ並べ替え作業を不要とすることを目的とする。
【課題を解決するための手段】
【０００９】
上記課題を解決するため、本発明による印刷装置は、印刷面を上にして排紙を行なうフェイスアップ排紙口と、前記フェイスアップ排紙口から排出された用紙を積載するフェイスアップ排紙台と、印刷面を下にして排紙を行なうフェイスダウン排紙口と、前記フェイスダウン排紙口から排出された用紙を積載するフェイスダウン排紙台とを備えた印刷装置であって、印刷用紙を循環させる循環搬送経路と、用紙の搬送先を前記フェイスアップ排紙口、前記フェイスダウン排紙口および前記循環搬送経路のいずれかに切り替える切替手段と、前記フェイスアップ排紙台に積載された用紙が所定の量に達したことを検出するフェイスアップ排紙量検出手段と、前記フェイスダウン排紙台に積載された用紙が所定の量に達したことを検出するフェイスダウン排紙量検出手段と、排紙口の指定を含む印刷データに基づく印刷処理を制御する印刷制御手段と、印刷データを格納する印刷データ格納手段とを備え、前記印刷制御手段は、指定された排紙口に排紙を行なう印刷を開始後に、前記指定された排紙口に対応する排紙台に積載された用紙が所定の量に達したことが検出されると、前記指定された排紙口からの排紙を停止し、未印刷のページについて印刷開始時とは逆順に印刷するとともに、未排紙の用紙について印刷開始時とは逆順に、前記指定された排紙口とは別の排紙口から排紙するように前記切替手段を制御することを特徴とする。
【００１０】
本発明では、印刷順序を入れ替えただけでは、印刷後排紙前の用紙については切り替え前の順序で排紙されてしまうため、出力順序も印刷開始時とは逆順になるように排紙制御を切り替える。
【００１１】
具体的には、前記印刷制御手段は、前記指定された排紙口からの排紙を停止した際に印刷済未排紙の用紙について、未印刷のページが印刷されて排紙されるまで循環搬送路が搬送先になるように前記切替手段を制御し、未印刷のページの排紙後は、前記印刷済未排紙の用紙が搬送順とは逆順に排紙されるように前記切替手段を制御することにより、印刷後のページ並べ替え作業を不要としている。
【００１２】
また、前記循環搬送経路は、用紙の表裏を反転させる反転機構を含んでいる場合には、前記印刷制御手段は、さらに、前記指定された排紙口とは別の排紙口がフェイスアップ排紙口の場合はフェイスアップで用紙が排紙され、前記指定された排紙口とは別の排紙口がフェイスダウン排紙口の場合はフェイスダウンで用紙が排紙されるように前記切替手段を制御する。循環搬送の過程で反転機構により表裏が反転し、そのままの状態で排紙されると他の用紙と表裏反対になってしまうため、本発明では、表裏が適切に出力されるようにしている。
【００１３】
また、表示手段をさらに備え、前記印刷制御手段は、前記指定された排紙口と別の排紙口から排紙させた印刷の終了後に、前記指定された排紙口に対応する排紙台に積載された用紙と、前記指定された排紙口に対応する排紙台とは別の排紙台に積載された用紙とを重ねる処理についてのガイドを前記表示手段に表示させるようにしてもよい。
【００１４】
排紙口が印刷途中で切り替えられた場合、全ページの印刷終了後には、印刷物は２箇所の排紙台に分割されて載置されている。ユーザは、表示手段に表示されたガイドにしたがって２つの印刷物の束を重ね合わせることで、容易にページ順に並んだ印刷結果を得ることができるようになる。具体的には、前記ガイドは、フェイスダウン排紙台の印刷物をひっくり返して印刷面を上にし、フェイスアップ排紙台の印刷物に重ねる旨の内容とすることができる。
【発明を実施するための最良の形態】
【００１５】
本発明の実施の形態について図面を参照して説明する。図１は、本発明に係る用紙反転機構付循環搬送路を備えた印刷装置１０の概要を示す図である。本図では特に印刷用紙搬送経路を詳細に示している。本図に示すように印刷装置１０は、印刷用紙の供給を行なう給紙機構として、筐体側面の外部に露出したサイド給紙台３２０と、筐体内部に設けられた複数の給紙トレイ（３３０ａ、３３０ｂ、３３０ｃ、３３０ｄ）とを備えている。また、印刷済の印刷用紙を排出する排紙機構としてフェイスダウン排紙口３４０とフェイスアップ排紙口３６０とを備えている。フェイスダウン排紙口３４０から排紙された用紙は、フェイスダウン排紙台３５０に積載され、フェイスアップ排紙口３６０から排紙された用紙は、フェイスアップ排紙台３６２に積載される。
【００１６】
印刷装置１０は、印字機構として、用紙搬送方向に直交する方向に伸び、多数のノズルが形成された印字ヘッドを含むヘッドユニット３１０を複数本備え、それぞれの印字ヘッドから黒またはカラーインクを吐出してライン単位で印刷を行なうインクジェット方式のラインカラープリンタである。ただし、ライン方向に走査して画像形成を行なうシリアルカラープリンタとしてもよい。また、他の印字方式、例えば、レーザ方式等を採用してもよい。
【００１７】
サイド給紙台３２０および給紙トレイ３３０のいずれかの給紙機構から１枚ずつ給紙された印刷用紙は、ローラ等の駆動機構によって筐体内の給紙系搬送路（図中の黒太線で示される経路）に沿って搬送され、レジスト部Ｒｇに導かれる。ここでレジスト部Ｒｇは、印刷用紙の先端の位置あわせと斜行修正を行なうために設けられており、１対のレジストローラを備えて構成される。給紙された印刷用紙はレジスト部Ｒｇで一時停止し、所定のタイミングで印字機構方向に搬送される。
【００１８】
レジスト部Ｒｇのさらに搬送方向側には、複数本のヘッドユニット３１０が設けられている。印刷用紙は、ヘッドユニット３１０の対向面に設けられた環状の搬送ベルト３５２によって印刷条件により定められる速度で搬送されながら、各ヘッドユニット３１０に備えられた印字ヘッドから吐出されたインクによりライン単位で画像形成される。
【００１９】
上面に印刷を施された印刷用紙は、フェイスアップ排紙口３６０から排紙される場合は、切替機構３７２によりフェイスアップ排紙口３６０方向に搬送され、そのまま印刷面を上にして排紙されてフェイスアップ排紙台３６２に積載されていく。フェイスダウン排紙口３４０から排紙される場合、切替機構３７２とローラ等の駆動機構によってさらに筐体内を搬送される。そして、切替機構３７０によりフェイスダウン排紙口３４０に導かれて排紙され、フェイスダウン排紙口３４０の受台として設けられたフェイスダウン排紙台３５０に印刷面を下にして積載されていく。
【００２０】
フェイスダウン排紙台３５０およびフェイスアップ排紙台３６２は、筐体から突出したトレイ形状をしており、ある程度の厚みを有している。フェイスダウン排紙台３５０およびフェイスアップ排紙台３６２は傾斜しており、傾斜の下位置に形成された壁により、フェイスダウン排紙口３４０、フェイスアップ排紙口３６０から排紙され、傾斜に沿って滑落する印刷用紙が自然に整えられて重なっていくようになっている。
【００２１】
フェイスダウン排紙台３５０およびフェイスアップ排紙台３６２とも印刷用紙の最大積載量が定められており、印刷用紙の積載量が最大積載量に達したことを検出するフェイスダウン排紙台用紙積載量センサ３８１、フェイスアップ排紙台用紙積載量センサ３８２がそれぞれ設けられている。
【００２２】
印刷用紙の両面に印刷を行なう両面印刷の場合は、表面（最初に印刷される面を「表面」、次に印刷される面を「裏面」とする）印刷終了時にはフェイスダウン排紙台３５０およびフェイスアップ排紙台３６２に導かれずに、切替機構３７０により、さらに筐体内を搬送される。そして、スイッチバック経路ＳＲに引き込まれ、スイッチバックを行ない、搬送路に対して表裏が反転する。表裏反転後に、ローラ等の駆動機構によって再度レジスト部Ｒｇに導かれ、一時停止する。その後、所定のタイミングで印字機構方向に搬送され、表面と同様の手順によって裏面の印刷が行なわれる。裏面の印刷が行なわれ、両面に画像が形成された印刷用紙は、印刷条件に含まれる排紙口の指定にしたがって、フェイスダウン排紙口３４０あるいはフェイスアップ排紙口３６０に導かれて排紙され、フェイスダウン排紙台３５０あるいはフェイスアップ排紙台３６２に積載されていく。
【００２３】
印刷装置１０では、両面印刷時におけるスイッチバックを、フェイスダウン排紙台３５０内に設けられた空間を利用して行なうようにしている。フェイスダウン排紙台３５０内に設けられた空間は、スイッチバック時に印刷用紙が外部から取り出せないように覆われた構成となっている。これにより、利用者が誤ってスイッチバック動作中の印刷用紙を引き抜いてしまうことを防ぐことができる。また、フェイスダウン排紙台３５０は、本来印刷装置１０に備えられているものであり、フェイスダウン排紙台３５０内の空間を利用してスイッチバックを行なうことにより、印刷装置１０内に、別途スイッチバック用の空間を設ける必要がなくなる。したがって、筐体のサイズが増大してしまうことを防ぐことができる。さらには、フェイスダウン排紙口３４０とスイッチバック経路とを共用しないため、スイッチバック処理と他の用紙の排紙とを並行して行なうことができる。
【００２４】
図２は、印刷装置１０の機能構成を示すブロック図である。印刷装置１０は、ＣＰＵ、メモリ等から構成されるメイン制御部１００を備えており、ＣＰＵがメモリに格納されたプログラムにしたがって動作すること等で印刷制御部１０１、駆動制御部１０２が構成される。また、メモリの一部は印刷データ格納部１０３として機能する。
【００２５】
また、印刷装置１０は、操作パネル等を介して、印刷条件の設定等を受け付ける操作受付部１１０、印刷装置に関する情報を表示する表示部１２０、コンピュータネットワーク等に接続するための通信処理部１３０を備えている。
【００２６】
印刷制御部１０１は、通信処理部１３０を介して図示しないホストコンピュータから受信した印刷データにしたがって、画像データを生成し、印字ヘッド等の印刷機構で構成される印刷実行部１４０における印刷処理を制御する。駆動制御部１０２は、印刷制御部１０１の制御の下で搬送駆動部１５０を動作させる。搬送駆動部１５０は、駆動ローラ、搬送ベルト３５２、切替機構３７０、切替機構３７２等で構成され印刷用紙の搬送を行なう。
【００２７】
次に、本実施形態における印刷・排紙制御処理について図３のフローチャートを参照して説明する。本処理は、ホストコンピュータから印刷データを受信することで開始する（Ｓ１０１）。ホストコンピュータから送られる印刷データには、印刷条件として排紙口を指定する情報が含まれている。排紙口としてフェイスアップ排紙口３６０が指定されている場合は、ページの逆順に印刷データが送られ、排紙口としてフェイスダウン排紙口３４０が指定されている場合は、ページの順に印刷データが送られてきている。これらの排紙口の指定および印刷データのページ順の管理は、従来と同様に、ホストコンピュータにインストールされた印刷装置１０に対応したプリンタドライバにより行なわれる。
【００２８】
印刷データを受信すると、印刷制御部１０１は、印刷データ格納部１０３にページ単位の印刷データを一時的に格納するとともに、印刷データに含まれている排紙口指定情報に基づいて排紙口の設定を行なう（Ｓ１０２）。すなわち、フェイスダウン排紙口３４０が指定されている場合は、切替機構３７２、３７０によりフェイスダウン排紙口３４０に印刷済の印刷用紙が搬送されるようにし、フェイスアップ排紙口３６０が指定されている場合は、切替機構３７２によりフェイスアップ排紙口３６０に印刷済の印刷用紙が搬送されるようにする。
【００２９】
そして、印刷データの順にしたがって１ページずつ印刷を行なう（Ｓ１０３）。印刷が施された印刷用紙は、設定された排紙口、すなわち、フェイスアップ排紙口３６０あるいはフェイスダウン排紙口３４０のいずれかから排紙する（Ｓ１０４）。用紙が排紙口から排紙されると、排紙台に積載されている印刷済の用紙が、その排紙台の最大積載量を超えたかどうかを判定する（Ｓ１０５）。印刷済の用紙が、その排紙台の最大積載量を超えたかどうかは、フェイスダウン排紙台３５０に配置されたフェイスダウン排紙台用紙積載量センサ３８１あるいはフェイスアップ排紙台３６２に配置されたフェイスアップ排紙台用紙積載量センサ３８２の検出結果に基づいて判定することができる。ただし、フェイスダウン排紙台用紙積載量センサ３８１、およびフェイスアップ排紙台用紙積載量センサ３８２を設けずに、排紙台に排出された印刷用紙の枚数をカウントすることにより排紙台の最大積載量を超えたかどうかを判定するようにしてもよい。また、最大積載量は物理的な最大積載量である必要はなく、便宜的に最大積載量として扱う目安の値であってよい。
【００３０】
この結果、最大積載量を超えていない場合（Ｓ１０５：Ｎｏ）は、全ページの印刷が終了するまで上述の印刷処理（Ｓ１０３）、排紙処理（Ｓ１０４）、最大積載量判定処理（Ｓ１０５）を繰り返し（Ｓ１０６：Ｎｏ）、全ページの印刷が終了すると（Ｓ１０６：Ｙｅｓ）、本処理を終了する。
【００３１】
一方、いずれかの排紙台に積載された印刷済の用紙が、その排紙台の最大積載量を超えた場合（Ｓ１０５：Ｙｅｓ）は、排紙口の切替えを行なう（Ｓ１０７）。すなわち、フェイスダウン排紙口３４０が指定されていた場合は、フェイスアップ排紙口３６０に排紙口を切り替える。また、フェイスアップ排紙口３６０が指定されていた場合は、フェイスダウン排紙口３４０に排紙口を切り替える。
【００３２】
そして、印刷順序と出力順序を入れ替える（Ｓ１０８）。ここで、印刷順序の入れ替えでは、未印刷のページを逆順に印刷するようにする。すなわち、印刷データ格納部１０３に記録されている未印刷のページの印刷データを、印刷開始時とは逆順に読み出して印刷を行なう。また、出力順序の入れ替えでは、未排紙の用紙を印刷開始時とは逆順に出力するように設定する。そして、設定された出力順序で切り替えられた排紙口から用紙が排紙されるように、排紙制御を切り替える（Ｓ１０９）。すなわち、印刷順序を入れ替えただけでは、印刷後排紙前の用紙については切り替え前の順序で排紙されてしまうため、出力順序も印刷開始時とは逆順になるように排紙制御を切り替える。具体的な制御方法については後述する。なお、切り替え前の排紙制御は、設定された排紙口に搬送されてきた印刷用紙をそのまま排紙する従来と同じ制御である。
【００３３】
印刷順序と出力順を入れ替えて、排紙制御を切り替えると、入れ替えた印刷順序で１ページずつ印刷を行なう（Ｓ１１０）。また、印刷と並行して後述する排紙制御を行なう。印刷処理は、全ページの印刷が終了するまで繰り返す（Ｓ１１１）。
【００３４】
排紙口が印刷途中で切り替えられた場合、全ページの印刷終了後には、印刷物は２箇所の排紙台に分割されて載置されている。このため、ページ順に並んだ印刷結果を得るためには、２つの印刷物の束を適切に重ね合わせなければならない。そこで、表示部１２０に、印刷物の取り扱いについてのガイド表示を行なって（Ｓ１１２）、本処理を終了する。ユーザは、表示部１２０に表示されたガイドにしたがって２つの印刷物の束を重ね合わせることで、ページ順に並んだ印刷結果を得ることができる。
【００３５】
次に、いずれかの排紙台に積載された印刷済の用紙がその排紙台の最大積載量を超えた場合における排紙制御の切り替えについて、図４のフローチャートを参照して説明する。本処理では、印刷済の用紙が、処理（Ｓ１０７）にしたがって切り替えられた排紙口に搬送されてきた際に、搬送されてきたページが、処理（Ｓ１０８）にしたがって入れ替えられた出力順のページであるかどうかを判断する（Ｓ２０１）。例えば、入れ替えられた出力順で次に排紙すべきページがＮページの場合に、Ｎページが印刷された用紙が搬送されてきた場合はＹｅｓとなり、Ｍページが印刷された用紙が搬送されてきた場合はＮｏとなる。
【００３６】
その結果、入れ替えられた出力順のページでなければ（Ｓ２０１：Ｎｏ）、切替機構３７２、３７０を制御して、切り替えられた排紙口から出力せずに、循環搬送路を搬送させる（Ｓ２０４）。これにより、後続する出力順のページを先に排紙口から出力させることができるようになる。
【００３７】
一方、入れ替えられた出力順のページの場合（Ｓ２０１：Ｙｅｓ）は、さらに、フェイスすなわち用紙の表裏が適切であるかどうかを判断する（Ｓ２０２）。ここで、フェイスが適切な状態は、フェイスアップ排紙口３６０からフェイスアップの状態で排紙され、フェイスダウン排紙口３４０からフェイスダウンの状態で排紙されるような用紙の表裏状態である。処理（Ｓ２０４）で循環搬送路を搬送させられた用紙は、スイッチバック経路ＳＲで表裏が反転することになる。このため、表裏が反転された状態で排紙されると他の用紙と表裏反対になってしまうことになる。したがって、フェイスが適切でない場合（Ｓ２０２：Ｎｏ）には、さらにもう１周循環搬送路を循環させて、表裏を反転させるようにする（Ｓ２０４）。なお、循環搬送路にスイッチバック経路ＳＲをバイパスする経路が設けられている場合には、フェイスが適切であるかどうかの判断は不要となる。
【００３８】
フェイスが適切であれば、切替機構３７２、３７０を制御して、切り替えられた排紙口から排紙する（Ｓ２０３）。このとき、切り替えられた排紙口がフェイスアップ排紙口３６０であれば、フェイスアップの状態で排紙され、切り替えられた排紙口がフェイスダウン排紙口３４０であれば、フェイスダウンの状態で排紙される。
【００３９】
以上の処理を、全ページ分の排紙が終了するまで繰り返し（Ｓ２０５）、全ページ分の排紙が終了すると、本処理を終了する。
【００４０】
次に、具体的な例を用いて上記の処理をさらに詳しく説明する。まず、フェイスアップ排紙口３６０が排紙口として指定されている場合について、図５、図６〜図８、図９および上述のフローチャートを参照して説明する。ここでは、分かりやすくするために８ページの印刷物を例とし、フェイスアップ排紙台３６２の最大積載量は４枚であるとする。
【００４１】
フェイスアップ排紙口３６０が排紙口として指定されている場合には、図５（ａ）に示すように印刷順序はページの逆順となる。すなわち、「８」「７」…「２」「１」の順で印刷データがホストコンピュータから送られてくる。なお「Ｎ」はＮページ目を示している。このようなページ順で印刷を行なって、フェイスアップ排紙口３６０から排紙を行なうと、図５（ｂ）に示すように、印刷面を上にして、上から「１」「２」…「７」「８」の順で重なった印刷物を得ることができる。
【００４２】
図６（ａ）は、印刷開始時における印刷装置１０の様子を模式的に示した図である。本図では、「８」「７」…「２」「１」の順で印刷データ格納部１０３に印刷データが格納されていることを示している。また、給紙された印刷用紙は第１ブロックから第２ブロックを経てフェイスアップ排紙口３６０から排紙される。循環される場合はさらに第３ブロックから第４ブロックを経て第１ブロックに搬送される。第４ブロックにはフェイスダウン排紙口３４０とスイッチバック経路ＳＲが設けられており、第４ブロックから第１ブロックに搬送される際に用紙の表裏面が反転するものとする。ただし、ブロックの概念は説明のための便宜的なものであり、実際の経路や用紙搬送状態を正確に反映したものではない。
【００４３】
印刷が開始されと、５ページ目を印刷後にフェイスアップ排紙台３６２の最大積載量に達する。このとき、図５（ｃ）に示すように、８ページ目から５ページ目まではフェイスアップ排紙台３６２に出力済であり、４ページ目および３ページ目はすでに印刷が終了しているが排紙前の状態にあり、２ページ目および１ページ目は印刷前であるとする。
【００４４】
図６（ｂ）はこの時の印刷装置１０の様子を模式的に示している。すなわち、印刷データ格納部１０３には、未印刷のページである「２」「１」の印刷データが格納されており、フェイスアップ排紙台３６２には、印刷面を上にして、上から「５」「６」「７」「８」の順で用紙が重なっている。また、「４」「３」は排紙前の状態である。
【００４５】
フェイスアップ排紙台３６２に出力された用紙が最大積載量に達すると、排紙口がフェイスダウン排紙口３４０に切り替えられる（Ｓ１０７）。そして印刷順序と出力順序が入れ替えられる（Ｓ１０８）。印刷順序の入れ替えでは、図６（ｃ）に示すように、印刷前である１ページ目および２ページ目が、印刷開始時とは逆の「１」「２」の印刷順序に入れ替えられる。出力順序の入れ替えでは、排紙前である１〜４ページ目が、印刷開始時とは逆の「１」「２」「３」「４」の出力順序に入れ替えられて設定される。
【００４６】
排紙口が切り替えられた結果、図６（ｄ）に示すように「４」はフェイスアップ排紙口３６０からは排紙されずに循環される。また、入れ替えられた印刷順序に従って「１」が印刷される。次いで図６（ｅ）に示すように「２」が印刷される。このとき、「４」がフェイスダウン排紙口３４０に搬送されるが、入れ替えられた出力順序で次に排紙すべき用紙は「１」であるため、排紙されずにさらに循環される（Ｓ２０１、Ｓ２０４）。
【００４７】
次に、図６（ｆ）に示すように「３」もフェイスダウン排紙口３４０に搬送されるが、入れ替えられた出力順序で次に排紙すべき用紙は「１」であるため、排紙されずにさらに循環される（Ｓ２０１、Ｓ２０４）。また、「４」は、第４ブロックから第１ブロックに搬送される際に表裏が反転する。図中の反転した数字は、下面に印刷されていることを示している。
【００４８】
そして、図６（ｇ）に示すように「１」がフェイスダウン排紙口３４０に搬送される。「１」は入れ替えられた出力順序で次に排紙すべき用紙である。また、フェイスダウンで排紙される状態であるため（Ｓ２０２）、図６（ｈ）に示すようにフェイスダウン排紙口３４０からフェイスダウンで排紙される。次いで、「２」がフェイスダウン排紙口３４０に搬送される。「２」は入れ替えられた出力順序で「１」の次に排紙すべき用紙である。また、フェイスダウンで排紙される状態であるため（Ｓ２０２）、図７（ａ）に示すようにフェイスダウン排紙口３４０からフェイスダウンで排紙される。
【００４９】
図７（ａ）に示すように、再度「４」がフェイスダウン排紙口３４０に搬送されるが、入れ替えられた出力順序で「２」の次に排紙すべき用紙は「３」であるため、排紙されずにさらに循環される（Ｓ２０１、Ｓ２０４）。
【００５０】
次に、図７（ｂ）に示すように「３」もフェイスダウン排紙口３４０に搬送される。入れ替えられた出力順序で「２」の次に排紙すべき用紙は「３」であるが、表裏が反転しており、フェイスアップで排紙される状態であるため、排紙されずにさらに循環される（Ｓ２０２、Ｓ２０４）。「４」は、第４ブロックから第１ブロックに搬送される際に表裏が反転する。
【００５１】
また、図７（ｃ）に示すように、「３」も、第４ブロックから第１ブロックに搬送される際に表裏が反転する。図７（ｄ）に示すように「４」「３」はさらに循環し、図７（ｅ）に示すように、再度「４」がフェイスダウン排紙口３４０に搬送される。しかし、入れ替えられた出力順序で「２」の次に排紙すべき用紙は「３」であるため、排紙されずにさらに循環される（Ｓ２０１、Ｓ２０４）。
【００５２】
次に、図７（ｆ）に示すように「３」もフェイスダウン排紙口３４０に再度搬送される。入れ替えられた出力順序で「２」の次に排紙すべき用紙は「３」であり、フェイスダウンで排紙される状態であるため（Ｓ２０２）、図７（ｇ）に示すようにフェイスダウン排紙口３４０から排紙される。「４」は、第４ブロックから第１ブロックに搬送される際に表裏が反転する。
【００５３】
図７（ｈ）に示すように「４」はさらに搬送され、再度フェイスダウン排紙口３４０に搬送される。入れ替えられた出力順序で「３」の次に排紙すべき用紙は「４」であるが、表裏が反転しているため、フェイスアップで排紙される状態である。このため、排紙されずにさらに循環される（Ｓ２０２、Ｓ２０４）。図８（ａ）に示すように、「４」は、第４ブロックから第１ブロックに搬送される際に表裏が反転し、さらに搬送され、図８（ｂ）に示すように再度フェイスダウン排紙口３４０に搬送される。入れ替えられた出力順序で「３」の次に排紙すべき用紙は「４」であり、フェイスダウンで排紙される状態であるため（Ｓ２０２）、「４」が図８（ｃ）に示すようにフェイスダウン排紙口３４０からフェイスダウンで排紙される。
【００５４】
この結果、図５（ｄ）に示すように、５ページ目から８ページ目までは、フェイスアップ排紙台３６２に、印刷面を上にして上から「５」「６」「７」「８」のページ順で積み重ねられる。また、１ページ目から４ページ目までは、フェイスダウン排紙台３５０に、印刷面を下にして上から「４」「３」「２」「１」のページ順で積み重ねられる。
【００５５】
したがって、図５（ｂ）に示したような印刷面を上にして上から「１」「２」…「７」「８」のページ順で積み重ねられた印刷結果を得るためには、フェイスダウン排紙台３５０の印刷物をひっくり返して印刷面を上にし、フェイスアップ排紙台３６２の印刷物に重ねればよいことになる。このため、本実施形態では、図９に示すような、フェイスダウン排紙台の印刷物をひっくり返して印刷面を上にし、フェイスアップ排紙台の印刷物に重ねることを文字および視覚的に示すガイドを表示部１２０に表示するようにしている。
【００５６】
次に、フェイスダウン排紙口３４０が排紙口として指定されている場合について、図１０、図１１〜図１３を用いて説明する。ここでは、分かりやすくするために８ページの印刷物を例とし、フェイスダウン排紙台３５０の最大積載量は４枚であるとする。
【００５７】
フェイスダウン排紙口３４０が排紙口として指定されている場合には、図１０（ａ）に示すように印刷順序はページ順となる。すなわち、「１」「２」…「７」「８」の順で印刷データがホストコンピュータから送られてくる。このようなページ順で印刷を行なって、フェイスダウン排紙口３４０から排紙を行なうと、図１０（ｂ）に示すように、印刷面を下にして、下から「１」「２」…「７」「８」の順で重なった印刷物を得ることができる。この束をひっくり返すことで、図５（ｂ）に示すように、印刷面を上にして、上から「１」「２」…「７」「８」の順で重なった印刷物を得ることができる。なお、図中の反転した数字は、下面に印刷されていることを示している。
【００５８】
図１１（ａ）は、印刷開始時における印刷装置１０の様子を模式的に示した図である。本図では、「１」「２」…「７」「８」の順で印刷データ格納部１０３に印刷データが格納されていることを示している。また、給紙された印刷用紙は第１ブロックから第２ブロック、第３ブロック、第４ブロックを経てフェイスダウン排紙口３４０から排紙される。循環される場合はさらに第４ブロックから第１ブロックに搬送される。第４ブロックにはスイッチバック経路ＳＲが設けられており、第４ブロックから第１ブロックに搬送される際に用紙の表裏面が反転する。
【００５９】
印刷が開始されと、４ページ目を印刷後にフェイスダウン排紙台３５０の最大積載量に達する。このとき、図１０（ｃ）に示すように、１ページ目から４ページ目まではフェイスダウン排紙台３５０に出力済であり、５ページ目および６ページ目はすでに印刷が終了しているが排紙前の状態にあり、７ページ目および８ページ目は印刷前であるとする。
【００６０】
図１１（ｂ）はこの時の印刷装置１０の様子を模式的に示している。すなわち、未印刷のページである「７」「８」の印刷データが印刷データ格納部１０３に格納されており、フェイスダウン排紙台３５０には、印刷面を下にして、上から「４」「３」「２」「１」の順で用紙が重なっている。また、「５」「６」は排紙前の状態である。
【００６１】
フェイスダウン排紙台３５０に出力された用紙が最大積載量に達すると、排紙口がフェイスアップ排紙口３６０に切り替えられる（Ｓ１０７）。そして印刷順序と出力順序が入れ替えられる（Ｓ１０８）。印刷順序の入れ替えでは、図１１（ｃ）に示すように、印刷前である７ページ目および８ページ目が、印刷開始時とは逆の「８」「７」の印刷順序に入れ替えられる。出力順序の入れ替えでは、排紙前である５〜８ページ目が、印刷開始時とは逆の「８」「７」「６」「５」の出力順序に入れ替えられて設定される。
【００６２】
排紙口が切り替えられた結果、「５」が切り替えられたフェイスアップ排紙口３６０に搬送されるが、入れ替えられた出力順序で次に排紙すべき用紙は「８」であるため、排紙されず循環される（Ｓ２０１、Ｓ２０４）。また、図１１（ｄ）に示すように、入れ替えられた印刷順序に従って「８」が印刷される。次いで図１１（ｅ）に示すように「７」が印刷される。このとき、「８」がフェイスアップ排紙口３６０に搬送される。入れ替えられた出力順序で次に排紙すべき用紙は「８」であり、フェイスアップで排紙される状態であるため（Ｓ２０２）、「８」が図１１（ｆ）に示すようにフェイスアップ排紙口３６０からフェイスアップで排紙される。「５」は、第４ブロックから第１ブロックに搬送される際に表裏が反転する。
【００６３】
このとき、「７」がフェイスアップ排紙口３６０に搬送される。入れ替えられた出力順序で「８」の次に排紙すべき用紙は「７」であり、フェイスアップで排紙される状態であるため（Ｓ２０２）、図１１（ｇ）に示すように、「７」がフェイスアップ排紙口３６０からフェイスアップで排紙される。「６」は、第４ブロックから第１ブロックに搬送される際に表裏が反転する。また、「５」がフェイスアップ排紙口３６０に搬送されるが、「７」の次に排紙すべき用紙は「６」であるため、排紙されずにさらに循環される（Ｓ２０１、Ｓ２０４）。
【００６４】
次に、図１１（ｈ）に示すように「６」がフェイスアップ排紙口３６０に搬送される。「７」の次に排紙すべき用紙は「６」であるが、表裏が反転しており、フェイスダウンで排紙される状態であるため、排紙されずにさらに循環される（Ｓ２０２、Ｓ２０４）。その後、図１２（ａ）に示すように、「５」「６」が搬送され、図１２（ｂ）に示すように、第４ブロックから第１ブロックに搬送される際に「５」の表裏が反転する。
【００６５】
図１２（ｃ）に示すように「５」がフェイスアップ排紙口３６０に搬送されるが、「７」の次に排紙すべき用紙は「６」であるため、排紙されずにさらに循環される（Ｓ２０１、Ｓ２０４）。「６」は、第４ブロックから第１ブロックに搬送される際に表裏が反転する。
【００６６】
次に、図１２（ｄ）に示すように「６」がフェイスアップ排紙口３６０に搬送される。入れ替えられた出力順序で「７」の次に排紙すべき用紙は「６」であり、フェイスアップで排紙される状態であるため（Ｓ２０２）、図１２（ｅ）に示すように「６」がフェイスアップ排紙口３６０からフェイスアップで排紙される。「５」はさらに搬送され、図１２（ｆ）に示すように第４ブロックから第１ブロックに搬送される際に表裏が反転する。
【００６７】
図１２（ｇ）に示すように「５」が再度フェイスアップ排紙口３６０に搬送される。「６」の次に排紙すべき用紙は「５」であるが、表裏が反転しており、フェイスダウンで排紙される状態であるため、排紙されずにさらに循環される（Ｓ２０２、Ｓ２０４）。
【００６８】
その後、「５」はさらに搬送され、図１２（ｈ）に示すように第４ブロックから第１ブロックに搬送される際に表裏が反転する。そして、図１３（ａ）に示すように「５」がフェイスアップ排紙口３６０に搬送される。入れ替えられた出力順序で「６」の次に排紙すべき用紙は「５」であり、フェイスアップで排紙される状態であるため（Ｓ２０２）、図１３（ｂ）に示すように「５」がフェイスアップ排紙口３６０からフェイスアップで排紙される。
【００６９】
この結果、図１０（ｄ）に示すように、１ページ目から４ページ目までは、フェイスダウン排紙台３５０に、印刷面を下にして上から「４」「３」「２」「１」のページ順で積み重ねられる。また、５ページ目から８ページ目までは、フェイスアップ排紙台３６２に、印刷面を上にして上から「５」「６」「７」「８」のページ順で積み重ねられる。
【００７０】
したがって、図５（ｂ）に示したような印刷面を上にして上から「１」「２」…「７」「８」のページ順で積み重ねられた印刷結果を得るためには、フェイスダウン排紙台３５０の印刷物をひっくり返して印刷面を上にし、フェイスアップ排紙台３６２の印刷物に重ねればよいことになる。このため、本実施形態では、図９に示したような、フェイスダウン排紙台の印刷物をひっくり返して印刷面を上にし、フェイスアップ排紙台の印刷物に重ねることを文字および視覚的に示すガイドを表示部１２０に表示するようにしている。また、図１０（ｂ）に示したような印刷面を下にして下から「１」「２」…「７」「８」のページ順で積み重ねられた印刷結果を得るためには、フェイスアップ排紙台３６２の印刷物をひっくり返して印刷面を下にし、フェイスダウン排紙台３５０の印刷物に重ねればよい。フェイスダウン排紙口３４０が排紙口として指定されている場合には、このようなガイド表示を行なうようにしてもよい。
【図面の簡単な説明】
【００７１】
【図１】用紙反転機構付循環搬送路を備えた印刷装置の概要を示す図である。
【図２】印刷装置の機能構成を示すブロック図である。
【図３】印刷装置における印刷・排紙制御処理について説明するためのフローチャートである。
【図４】積載された用紙が最大積載量を超えた場合における排紙制御切り替え処理について説明するためのフローチャートである。
【図５】フェイスアップ排紙口が指定された場合の印刷順序を示す図である。
【図６】フェイスアップ排紙口が指定された場合の用紙搬送を示す図である。
【図７】フェイスアップ排紙口が指定された場合の用紙搬送を示す図である。
【図８】フェイスアップ排紙口が指定された場合の用紙搬送を示す図である。
【図９】ガイド表示を示す図である。
【図１０】フェイスダウン排紙口が指定された場合の印刷順序を示す図である。
【図１１】フェイスダウン排紙口が指定された場合の用紙搬送を示す図である。
【図１２】フェイスダウン排紙口が指定された場合の用紙搬送を示す図である。
【図１３】フェイスダウン排紙口が指定された場合の用紙搬送を示す図である。
【符号の説明】
【００７２】
１０…印刷装置、１００…メイン制御部、１０１…印刷制御部、１０２…駆動制御部、１０３…印刷データ格納部、１１０…操作受付部、１２０…表示部、１３０…通信処理部、１４０…印刷実行部、１５０…搬送駆動部、１６２…フェイスアップ排紙台、３１０…ヘッドユニット、３２０…サイド給紙台、３３０…給紙トレイ、３４０…フェイスダウン排紙口、３５０…フェイスダウン排紙台、３５２…搬送ベルト、３６０…フェイスアップ排紙口、３６２…フェイスアップ排紙台、３７０…切替機構、３７２…切替機構、３８１…フェイスダウン排紙台用紙積載量センサ、３８２…フェイスアップ排紙台用紙積載量センサ
【図１】
0005047039.tif 000002
【図２】
0005047039.tif 000003
【図３】
0005047039.tif 000004
【図４】
0005047039.tif 000005
【図５】
0005047039.tif 000006
【図６】
0005047039.tif 000007
【図７】
0005047039.tif 000008
【図８】
0005047039.tif 000009
【図９】
0005047039.tif 000010
【図１０】
0005047039.tif 000011
【図１１】
0005047039.tif 000012
【図１２】
0005047039.tif 000013
【図１３】
0005047039.tif 000014